(57)【要約】【課題】第２フィルターの第１フィルターへの着脱が容易な空気調和機を提供する。【解決手段】室内ユニット（図示せず）に取り付けられる化粧パネル（図示せず）の吸込口（図示せず）に設けられる吸入グリル（図示せず）と、吸入グリルに着脱自在の第１フィルター１５と、第１フィルター１５に取り付けられる第２フィルター１７と、第１フィルター１５のフレーム１６上に設けられた複数の第２フィルター固定部１８とを備え、第２フィルター１７を、複数の第２フィルター固定部１８間にスライドさせて第１フィルター１５に装着後、第２フィルター１７を第１フィルター１５に固定する第２フィルター固定具２１を設けたもので、第２フィルター１７を、複数の第２フィルター固定部１８間にスライドさせるだけで第１フィルター１５に固定されるので、第２フィルター１７を無理やりたわませる必要がなく、第１フィルター１５への着脱が非常に容易である。【選択図】図１
2006132892.tif 000002
【特許請求の範囲】
【請求項１】
室内ユニットと、前記室内ユニットに取り付けられると共に吸込口を有する化粧パネルと、前記吸込口に設けられる吸入グリルと、前記吸入グリルに着脱自在に取り付けられる第１フィルターと、前記第１フィルターに取り付けられる第２フィルターと、前記第１フィルターのフレーム上に設けられた複数の第２フィルター固定部とを備え、前記第２フィルターを、前記複数の第２フィルター固定部間にスライドさせて前記第１フィルターに装着後、前記第２フィルターを前記第１フィルターに固定する第２フィルター固定具を設けたことを特徴とする空気調和機。
【請求項２】
第２フィルター固定具を第１フィルターのフレーム上に回転自在に設け、前記第２フィルター固定具を回転させることにより前記第２フィルターを固定することを特徴とする請求項１に記載の空気調和機。
【請求項３】
第２フィルター固定具を第１フィルターのフレーム上にスライド自在に設け、前記第２フィルター固定具をスライドさせることにより前記第２フィルターを固定することを特徴とする請求項１又は２に記載の空気調和機。
【発明の詳細な説明】
【技術分野】
【０００１】
本発明は、空気調和機に関するもので、特に空気調和機のフィルターの取り付け構造に関するものである。
【背景技術】
【０００２】
従来、この種の空気調和機は、通常のちりやほこりを捕集するためのエアフィルターに加えて、付加機能としてちりやほこりの捕集以外を目的とする第２フィルターが装着できるようにしている（例えば、特許文献１参照）。
【０００３】
図８は、上記特許文献１に記載された従来の空気調和機の断面図、図９は、同空気調和機のフィルターの取り付け構成を示す展開斜視図である。
【０００４】
従来の空気調和機は、室外に設置された室外ユニット（図示せず）と、その室外ユニットと接続され天井１内に埋設される室内ユニット２からなり、図８に示すように、室内ユニット２の内部には、熱交換器３、ドレンパン４、送風機５、送風機５を回転させるファンモーター６等が配置され、この室内ユニット２にはその下部開口を覆う化粧パネル７が着脱自在に装着されている。化粧パネル７の中央部には吸込口８が形成され、この吸込口８の両側には吹出口９が形成されている。吸込口８の内部には、吸入グリル１０が取り付けられ、吸入グリル１０には、ちりやほこりを捕集する第１フィルター１１が装着されるようになっている。
【０００５】
また、図９に示すように第１フィルター１１には、付加機能としてちりやほこりの捕集以外を目的とする第２フィルター１３を固定するための第２フィルター固定部１２が形成され、第２フィルター１３の両側に形成されている第２フィルター固定爪１４を第２フィルター固定部１２に嵌め込んで、第２フィルター１３を第１フィルター１１に固定できるようになっている。
【特許文献１】特開平８−２３３３５０号公報
【発明の開示】
【発明が解決しようとする課題】
【０００６】
しかしながら、前記従来の空気調和機のフィルター取り付け構造では、第１フィルター１１に形成されている第２フィルター固定部１２に第２フィルター１３を取り付ける際、第２フィルター１３を無理やりたわませたり、第２フィルター固定爪１４を無理やり曲げて第２フィルター固定部１２に挿入しなければならないので、第２フィルター固定爪１４が破損したり、また第２フィルター１３の取り外しが困難であるという課題を有していた。
【０００７】
本発明は、前記従来の課題を解決するもので、フィルター固定部やフィルター固定爪のような部品等を破損することなく、第１フィルターへの第２フィルターの着脱を容易に行うことができる空気調和機を提供することを目的とする。
【課題を解決するための手段】
【０００８】
前記従来の課題を解決するために、本発明の空気調和機は、室内ユニットと、前記室内ユニットに取り付けられると共に吸込口を有する化粧パネルと、前記吸込口に設けられる吸入グリルと、前記吸入グリルに着脱自在に取り付けられる第１フィルターと、前記第１フィルターに取り付けられる第２フィルターと、前記第１フィルターのフレーム上に設けられた複数の第２フィルター固定部とを備え、前記第２フィルターを、前記複数の第２フィルター固定部間にスライドさせて前記第１フィルターに装着後、前記第２フィルターを前記第１フィルターに固定する第２フィルター固定具を設けたもので、第２フィルターを第１フィルターに取り付ける際に、第２フィルターを、複数の第２フィルター固定部間にスライドさせるだけで良いので、第２フィルターを無理やりたわませる必要がなく、第１フィルターへの着脱が非常に容易であり、さらに第２フィルター固定具によって、第２フィルターが外れたり、浮き上がってしまうこともない。
【発明の効果】
【０００９】
本発明の空気調和機は、第２フィルターを破損することなく、第１フィルターへの第２フィルターの着脱が容易に行うことができる。
【発明を実施するための最良の形態】
【００１０】
第１の発明は、室内ユニットと、前記室内ユニットに取り付けられると共に吸込口を有する化粧パネルと、前記吸込口に設けられる吸入グリルと、前記吸入グリルに着脱自在に取り付けられる第１フィルターと、前記第１フィルターに取り付けられる第２フィルターと、前記第１フィルターのフレーム上に設けられた複数の第２フィルター固定部とを備え、前記第２フィルターを、前記複数の第２フィルター固定部間にスライドさせて前記第１フィルターに装着後、前記第２フィルターを前記第１フィルターに固定する第２フィルター固定具を設けたもので、第２フィルターを第１フィルターに取り付ける際に、第２フィルターを、複数の第２フィルター固定部間にスライドさせるだけで良いので、第２フィルターを無理やりたわませる必要がなく、第１フィルターへの着脱が非常に容易であり、さらに第２フィルター固定具によって、第２フィルターが外れたり、浮き上がってしまうこともない。
【００１１】
第２の発明は、特に、第１の発明の第２フィルター固定具を第１フィルターのフレーム上に回転自在に設け、前記第２フィルター固定具を回転させることにより前記第２フィルターを固定するもので、第２フィルターの着脱が容易であり、かつ第２フィルター固定具を第１フィルターのフレーム上に設けているので、第２フィルター固定具を紛失することもない。
【００１２】
第３の発明は、特に、第１又は第２の発明の第２フィルター固定具を第１フィルターのフレーム上にスライド自在に設け、前記第２フィルター固定具をスライドさせることにより前記第２フィルターを固定するもので、第２フィルターの着脱が容易で、かつ第２フィルター固定具を第１フィルターのフレーム上に設けているので、第２フィルター固定具の紛失を防止することができ、また、第２フィルター固定具の固定も容易で、第２フィルターの外れを確実に防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機のフィルターの取り付け構成を示す展開斜視図、図２は、同フィルターの取り付け時の側面図、図３は、同フィルターの装着状態を表す側面図である。なお、空気調和機の室内ユニットの全体構成は、従来例と同一であるので、同一部品については、同一符号を付してその説明を省略する。
【００１５】
図１において、１５は、吸入グリル１０に装着され、ちりやほこりを捕獲する第１フィルターで、第１フィルター１５の左右のフレーム１６上に第２フィルター１７を固定するための第２フィルター固定部１８が形成されており、第２フィルター１７と有機的に関連してフィルター取り付け構造を構成している。
【００１６】
第２フィルター固定部１８は爪のような形状になっており、左右に配置されている第２フィルター固定部１８の間に第２フィルター１７をスライドさせて装着する。また、第２フィルター固定部１８のフィルター挿入口側には壁などなく、挿入側と反対側にストッパー１９が備えられている。
【００１７】
２１は、第２フィルター１７を第１フィルター１５に取り付けた後に第２フィルター１７を第１フィルター１５に固定するための第２フィルター固定具２１である。
【００１８】
以上のように構成された空気調和機について、以下その動作、作用を説明する。
【００１９】
まず、図２に示すように、第２フィルター１７を第１フィルター１５のフレーム１６上にある第２フィルター固定部１８へ矢印の方向にスライドさせて、第２フィルター固定部１８に備えられているストッパー１９に当たるところまで、第２フィルター１７を挿入する。第２フィルター１７の挿入完了後、第１フィルター１５のフレーム１６上に形成されている第２フィルター固定具係止部２０に、第２フィルター固定具２１を装着させて、第２フィルター１７を第１フィルター１５に固定する。
【００２０】
以上のように、本実施の形態においては第１フィルター１５上のフレーム１６に第２フィルター固定部１８を設け、第２フィルター固定部１８の第２フィルター１７挿入口側にリブを設けることなく、第２フィルター１７をスライドさせてストッパー１９に当たるところまで挿入し、第２フィルター１７挿入後、第２フィルター固定具２１を装着することにより、第２フィルター１７を無理やりたわませて装着する場合に生じる第２フィルター１７の破損などの発生がなく、容易に第２フィルター１７を着脱することができる。
【００２１】
（実施の形態２）
図４は、本発明の第２の実施の形態における空気調和機の第１フィルターの斜視図、図５は、同第１フィルターに第２フィルターを装着した時の斜視図である。なお、上記第１の実施の形態と同一部分については、同一符号を付してその説明を省略する。
【００２２】
本実施の形態は、図４に示すように、第１フィルター１５のフレーム１６上に形成された第２フィルター固定具係止部２０上に、第２フィルター固定具２２を軸２３を中心にして回転自在に取り付けたもので、第２フィルター１７を第１フィルター１５に装着する時は、図５に示すように、第２フィルター１７を、左右の第２フィルター固定部１８の内部に挿入後、第２フィルター固定具２２を矢印のように回転させて第２フィルター固定具２２を係止させるものである。
【００２３】
以上のように、本実施の形態によれば、第１フィルター１５上のフレーム１６に第２フィルター固定部１８を設け、第２フィルター固定部１８の第２フィルター１７挿入口側にリブを設けることなく、第２フィルター１７をスライドしてストッパー１９に当たるところまで挿入し、第２フィルター１７挿入後、第１フィルター１５のフレーム１６上に形成されている第２フィルター固定具係止部２０に装着されている第２フィルター固定具２２を回転させて第２フィルター１７を固定することにより、第２フィルター１７を無理やりたわませて装着する場合に生じる第２フィルター１７の破損などがなく、又第２フィルター固定具２２の固定が容易で部品の紛失等もなく、容易に第２フィルター１７を着脱することができる。
【００２４】
（実施の形態３）
図６は、本発明の第３の実施の形態における空気調和機の第１フィルターの斜視図、図７は、同第１フィルターに第２フィルターを装着した時の斜視図である。なお、上記実施の形態と同一部品については、同一符号を付してその説明を省略する。
【００２５】
本実施の形態は、図６に示すように、第１フィルター１５の前方のフレーム１６に、第２フィルター固定具係止部２０を垂下形成し、その第２フィルター固定具係止部２０に第２フィルター固定具２４を上下方向にスライド自在に取り付けたものである。
【００２６】
そして、第１フィルター１５に第２フィルターを装着するときは、図７に示すように、第２フィルター１７を左右の第２フィルター固定部１８の内部に挿入後、第２フィルター固定具２４を矢印の方向にスライドさせて、第２フィルター固定具２４を係止させるものである。
【００２７】
以上のように、本実施の形態によれば、第１フィルター１５上のフレーム１６に第２フィルター固定部１８を設け、第２フィルター１７をスライドしてストッパー１９に当たるところまで挿入させ、第２フィルター１７挿入後、第１フィルター１５のフレーム１６上に形成されている第２フィルター固定具係止部２０に装着されている第２フィルター固定具２４をスライドさせて第２フィルター１７を固定することにより、第２フィルター１７を無理やりたわませて装着する場合に生じる第２フィルター１７の破損などがなく、又第２フィルター固定具２４の固定が容易で部品の紛失等がなく、容易に第２フィルター１７を着脱することができる。
【産業上の利用可能性】
【００２８】
以上のように、本発明にかかる空気調和機は、第２フィルターを変形したり破損することなく、第１フィルターに容易に着脱できるので、フィルター以外の各種部品の取り付けを要する各種機器にも適用できる。
【図面の簡単な説明】
【００２９】
【図１】本発明の実施の形態１における空気調和機のフィルターの取り付け構成を示す展開斜視図
【図２】同フィルターの取り付け時の側面図
【図３】同フィルターの装着状態を示す側面図
【図４】本発明の実施の形態２における空気調和機の第１フィルターの斜視図
【図５】同第１フィルターに第２フィルターを装着した時の斜視図
【図６】本発明の実施の形態３における空気調和機の第１フィルターの斜視図
【図７】同第１フィルターに第２フィルターを装着した時の斜視図
【図８】従来の空気調和機の断面図
【図９】同空気調和機のフィルターの取り付け構成を示す展開斜視図
【符号の説明】
【００３０】
１  天井
２  室内ユニット
７  化粧パネル
８  吸入口
１０  吸入グリル
１５  第１フィルター
１６  フレーム
１７  第２フィルター
１８  第２フィルター固定部
１９  ストッパー
２０  第２フィルター固定部係止部
２１、２２、２４  第２フィルター固定具
【図１】
2006132892.tif 000003
【図２】
2006132892.tif 000004
【図３】
2006132892.tif 000005
【図４】
2006132892.tif 000006
【図５】
2006132892.tif 000007
【図６】
2006132892.tif 000008
【図７】
2006132892.tif 000009
【図８】
2006132892.tif 000010
【図９】
2006132892.tif 000011